(57)【特許請求の範囲】
【請求項１】
測定装置本体と、当該測定装置本体に電気的に接続可能に構成されると共に固定用ボルトで当該測定装置本体に固定可能な測定装置用周辺機器とを備えた測定装置であって、
前記測定装置本体および前記測定装置用周辺機器は、両者が相まって、前記固定用ボルトのボルト締め状態を電気的に検出する検出手段と、前記測定装置用周辺機器の固定状態を前記検出手段の検出信号に基づいて判別する判別部と、当該判別部の判別結果を報知する報知手段とを備え、
前記検出手段は、前記測定装置用周辺機器を固定した状態の前記固定用ボルトに電気的にそれぞれ接触可能な測定装置本体側電極および周辺機器側電極を備えて構成され、前記判別部は、前記測定装置本体側電極および前記周辺機器側電極の電気的接触に応じた前記検出信号に基づいて、前記測定装置用周辺機器の固定状態を判別することを特徴とする測定装置。
【請求項２】
前記測定装置本体は、測定した測定結果を表示すると共に前記報知手段として前記判別結果を報知する表示部を備えていることを特徴とする請求項１記載の測定装置。
【請求項３】
前記測定装置用周辺機器は、前記測定装置本体よって測定された測定結果を印刷する印刷装置であることを特徴とする請求項１または２記載の測定装置。
【発明の詳細な説明】
【０００１】
【発明の属する技術分野】
本発明は、測定装置本体と、その測定装置本体に電気的に接続可能に構成され、かつ固定用ボルトで測定装置本体に固定可能な測定装置用周辺機器とを備えた測定装置に関するものである。
【０００２】
【従来の技術】
この種の測定装置として、出願人は、図８に示す波形記録装置３１を既に開発している。この波形記録装置３１は、入力信号についての波形データの記録および信号波形の表示などを実行可能に構成された記録装置本体３２と、記録装置本体３２に電気的に接続可能に構成され、記録装置本体３２の制御下で測定データに基づく信号波形の印刷を実行するプリンタ３３と、プリンタ３３に代えて記録装置本体３２に固定することにより、プリンタ３３が取り外された状態の記録装置本体３２を保護するためのカバー３４と、プリンタ３３またはカバー３４を記録装置本体３２に固定するためのボルト５５，５５とを備えて構成されている。
【０００３】
この場合、記録装置本体３２には、プリンタ３３またはカバー３４を嵌め合わせるための凸部３２ａ，３２ａが形成されると共に、プリンタ３３を電気的に接続するためのコネクタＣ２が配設されている。一方、プリンタ３３には、記録装置本体３２の凸部３２ａ，３２ａに嵌合可能な凹部３３ａ，３３ａが形成されると共に、記録装置本体３２のコネクタＣ２に接続可能なコネクタＣ３が配設されている。また、カバー３４には、凸部３２ａ，３２ａに嵌合可能な凹部３４ａ，３４ａが形成されている。さらに、両凹部３３ａ，３４ａには、ボルト５５を挿通可能な挿通用孔３３ｂ，３４ｂが形成され、凸部３２ａには、ボルト５５をボルト締め可能なボルト穴（図示せず）が形成されている。
【０００４】
この波形記録装置３１では、プリンタ３３を使用しないときには、図９に示すように、凸部３２ａ，３２ａに凹部３４ａ，３４ａを嵌め合わせた状態でボルト５５，５５をボルト締めすることによって記録装置本体３２にカバー３４を固定する。これにより、プリンタ３３の非使用環境下において、波形記録装置３１の持ち運びの利便性が図られる。一方、プリンタ３３の使用時には、記録装置本体３２からカバー３４を取り外した後、図１０に示すように、記録装置本体３２の凸部３２ａ，３２ａとプリンタ３３の凹部３３ａ，３３ａとを嵌め合わせる。この際には、記録装置本体３２のコネクタＣ２にプリンタ３３のコネクタＣ３が接続されて、記録装置本体３２とプリンタ３３とが電気的に接続される。次に、プリンタ３３の挿通用孔３３ｂ，３３ｂにボルト５５，５５を挿通させて記録装置本体３２のボルト穴にボルト締めすることにより、記録装置本体３２へのプリンタ３３の固定が完了する。この後、所定の操作を行って記録装置本体３２からコネクタＣ２，Ｃ３を介してプリンタ３３に印刷データを出力することにより、印刷データに基づく信号波形などがプリンタ３３によって印刷される。
【０００５】
【発明が解決しようとする課題】
ところが、出願人が既に開発している波形記録装置３１には、以下の改善すべき課題がある。すなわち、波形記録装置３１では、記録装置本体３２の凸部３２ａ，３２ａとプリンタ３３の凹部３３ａ，３３ａとを嵌め合わせるだけで記録装置本体３２のコネクタＣ２とプリンタ３３のコネクタＣ３とが接続され、これにより、記録装置本体３２とプリンタ３３とが電気的に相互に接続される。このため、ボルト５５が締め忘れられていたり、締め付けが不完全であったりしても、信号波形の印刷自体は支障なく行われる。しかし、このような状態で波形記録装置３１を持ち運んだときには、プリンタ３３が記録装置本体３２から分離して落下するおそれがあり、かかる場合には、プリンタ３３の破損を招くことがある。
【０００６】
このため、出願人が開発している波形記録装置３１では、ボルト５５，５５によってプリンタ３３と記録装置本体３２とを確実に固定する必要がある旨の注意書きが、取り扱い説明書などに記載されている。その一方、この波形記録装置３１では、記録装置本体３２の凸部３２ａとプリンタ３３の凹部３３ａとを嵌め合わせた状態では、記録装置本体３２およびプリンタ３３が恰も固定されているように錯覚することもあり、オペレータの不注意に起因して、ボルト５５，５５によるプリンタ３３の固定作業が行われないおそれが依然として存在するという改善すべき課題がある。
【０００７】
本発明は、かかる改善すべき点に鑑みてなされたものであり、測定装置本体および測定装置用周辺機器間の固定作業の確実なる実施を可能とする測定装置を提供することを主目的とする。
【０００８】
【課題を解決するための手段】
上記目的を達成すべく請求項１記載の測定装置は、測定装置本体と、測定装置本体に電気的に接続可能に構成されると共に固定用ボルトで測定装置本体に固定可能な測定装置用周辺機器とを備えた測定装置であって、測定装置本体および測定装置用周辺機器は、両者が相まって、固定用ボルトのボルト締め状態を電気的に検出する検出手段と、測定装置用周辺機器の固定状態を検出手段の検出信号に基づいて判別する判別部と、判別部の判別結果を報知する報知手段とを備え、検出手段は、測定装置用周辺機器を固定した状態の固定用ボルトに電気的にそれぞれ接触可能な測定装置本体側電極および周辺機器側電極を備えて構成され、判別部は、測定装置本体側電極および周辺機器側電極の電気的接触に応じた検出信号に基づいて、測定装置用周辺機器の固定状態を判別することを特徴とする。この場合、本発明における報知手段による報知には、測定装置用周辺機器が固定されている旨の報知、および測定装置用周辺機器が未固定（不確実な固定も含む）の旨の報知の両者が含まれる。
【００１１】
請求項２記載の測定装置は、請求項１記載の測定装置において、測定装置本体は、測定した測定結果を表示すると共に報知手段として判別結果を報知する表示部を備えていることを特徴とする。
【００１２】
請求項３記載の測定装置は、請求項１または２記載の測定装置において、測定装置用周辺機器は、測定装置本体よって測定された測定結果を印刷する印刷装置であることを特徴とする。
【００１３】
【発明の実施の形態】
以下、添付図面を参照して、本発明に係る測定装置を波形記録装置に適用した実施の形態について説明する。
【００１４】
図１に示すように、波形記録装置１は、記録装置本体２と、記録装置本体２に対して着脱可能に構成されたプリンタ３およびカバー４と、プリンタ３およびカバー４を記録装置本体２に固定するためのボルト５，５とを備えている。記録装置本体２は、右側面に配設されたＢＮＣ型のコネクタを介して、例えば４チャネルの信号入力チャネルからそれぞれ入力した記録対象信号について、波形データの記録、その波形データに基づく信号波形の表示、および、その信号波形のプリンタ３による印刷を実行可能に構成されている。また、記録装置本体２の正面パネルには、各種信号波形などを表示する表示部１１と、電源スイッチ１２ａや複数の操作キーが配列された操作部１２とが配設されている。さらに、左側面には、プリンタ３を接続するためのコネクタＣ２が配設され、プリンタ３またはカバー４を嵌め合わせるための凸部２ａ，２ａがコネクタＣ２の上下にそれぞれ形成されている。
【００１５】
凸部２ａには、図２に示すように、ボルト５を挿入するための挿入用穴２ｂが形成され、この挿入用穴２ｂの奥側には、プリント基板Ｐ２が配置されている。この場合、プリント基板Ｐ２における挿入用穴２ｂの対向部位には、ボルト５が挿通可能なスルーホールが形成されると共に、プリント基板Ｐ２の裏面側におけるそのスルーホールの縁部には、図示しないランドが形成されている。また、そのランドには、本発明における測定装置本体側電極に相当する装着部２２が半田付けされ、かつ、その裏面側のランドは、図３に示すように、プリント基板Ｐ２の上面に形成されたランド２１にスルーホールを介して接続されている。なお、プリント基板Ｐ２の裏面側のランドに代えてハトメを用いて装着部２２をプリント基板Ｐ２に固定することもできる。また、装着部２２は、全体として筒状に形成され、その内壁面には、ボルト５の先端部５ａをボルト締め可能なねじ山が形成されている。さらに、装着部２２は、同図に示すように、ランド２１およびプリント基板Ｐ２の表面側導体パターン２３、および高抵抗の抵抗Ｒ１を介して電源Ｖｃｃに接続されている。この場合、導体パターン２３には、ボルト５によるプリンタ３の固定状態を判別する判別部１３が接続されている。
【００１６】
一方、プリンタ３は、本発明における測定装置用周辺機器に相当し、電気的に接続された記録装置本体２による印刷制御に従い、印刷データに基づく測定結果を印刷する。この場合、プリンタ３の右側面には、図１に示すように、記録装置本体２のコネクタＣ２に接続可能なコネクタＣ３が配設され、コネクタＣ３の上下には、嵌合用の凹部３ａ，３ａがそれぞれ形成されている。また、この凹部３ａには、図２に示すように、ボルト５を挿通可能な挿通用孔３ｂが形成されると共に挿通用孔３ｂの中間部位には、挿通用孔３ｂを横切るようにプリント基板Ｐ３が配置されている。この場合、プリント基板Ｐ３における挿通用孔３ｂの対向部位には挿通孔が形成され、この挿通孔をボルト５が挿通可能な構造になっている。また、プリント基板Ｐ３には、図３に示すように、挿通用孔３ｂに挿通したボルト５の座面５ｂが接触可能にランド２４が形成されている。このランド２４は、本発明における周辺機器側電極に相当し、導体パターン２５および接続ケーブル２６を介してコネクタＣ３のグランド接続用端子に接続されている。したがって、プリンタ３を記録装置本体２に装着した状態では、ランド２４が、コネクタＣ３，Ｃ２を介して記録装置本体２のグランド電位ＧＮＤに接続される。
【００１７】
カバー４は、プリンタ３に代えて記録装置本体２に固定することにより、プリンタ３が取り外された状態の記録装置本体２の側面を保護する。カバー４の右側面には、図１に示すように、記録装置本体２の凸部２ａ，２ａに嵌合可能な凹部４ａ，４ａが形成され、この凹部４ａには、ボルト５が挿通可能な挿通用孔４ｂが形成されている。
【００１８】
次に、波形記録装置１の全体的な動作について、各図を参照して説明する。
【００１９】
この波形記録装置１では、プリンタ３を使用しないときには、記録装置本体２にカバー４を装着する。この際には、記録装置本体２の凸部２ａ，２ａにカバー４の凹部４ａ，４ａを嵌め合わせた後、凹部４ａの挿通用孔４ｂ，４ｂに挿通させたボルト５，５を凸部２ａの挿入用穴２ｂにボルト締めすることにより、カバー４の記録装置本体２への固定作業が完了する。この状態では、記録装置本体２のコネクタＣ２がカバー４によって覆われるため、コネクタＣ２における接続端子の短絡事故などを防止することができると共に波形記録装置１全体としての美観の向上を図ることもできる。
【００２０】
一方、波形データに基づく信号波形の印刷時には、記録装置本体２からカバー４を取り外した後にプリンタ３を固定する。この際には、記録装置本体２の凸部２ａ，２ａに凹部３ａ，３ａをそれぞれ嵌め合わせた後、凹部３ａの挿通用孔３ｂに挿通させたボルト５，５を凸部２ａの装着部２２にボルト締めする。これにより、図４に示すように、記録装置本体２へのプリンタ３の固定作業が完了する。この状態では、図３に示すように、記録装置本体２のコネクタＣ２とプリンタ３のコネクタＣ３とが電気的に互いに接続される結果、プリンタ３におけるプリント基板Ｐ３のランド２４が、記録装置本体２のグランド電位ＧＮＤに接続される。
【００２１】
この後、記録装置本体２における操作部１２の電源スイッチ１２ａが投入されると、判別部１３は、まず、抵抗Ｒ１およびランド２１間の導体パターン２３の電圧を監視する。この際に、図５（ａ）に示すように、ボルト５が所定の固定位置まで確実にボルト締めされているときには、その座面５ｂがプリント基板Ｐ３のランド２４に接触するため、ボルト５を介して凸部２ａ内の装着部２２とランド２４とが接触して電気的に接続される。したがって、導体パターン２３の電圧がグランド電位となる。この結果、判別部１３は、導体パターン２３の電圧に基づいて、ボルト５が所定の固定位置までボルト締めされていると判別する。この後、所定の操作が行われると、記録装置本体２がコネクタＣ２，Ｃ３を介してプリンタ３に印刷データを出力することにより、プリンタ３が、その印刷データに基づいて信号波形を印刷する。
【００２２】
一方、図５（ｂ）に示すように、ボルト５が確実にボルト締めされていない場合や、ボルト５を締め忘れている場合、ボルト５の座面５ｂとプリント基板Ｐ３のランド２４とが電気的に非接触状態となる。したがって、ランド２４と装着部２２が電気的に非接続となるため、導体パターン２３の電圧が電源電圧Ｖｃｃと等しい電位となる。この際には、判別部１３は、ボルト５が確実にボルト締めされていないと判別し、例えば「プリンタを固定して下さい。」とのメッセージを表示部１１に表示させる。この後、ボルト５，５を所定の固定位置まで確実にボルト締めすることにより、ボルト５を介してランド２４および装着部２２間が電気的に接続されたときには、導体パターン２３の電圧がグランド電位となり、この際には、判別部１３は、ボルト締めが完了したものと判別してメッセージを消去する。
【００２３】
このように、この波形記録装置１では、ボルト５，５が確実にボルト締めされていないときには、判別部１３が表示部１１にメッセージを表示させることにより、オペレータに対して、記録装置本体２およびプリンタ３の固定作業が未完了である旨が視覚的に訴えることによって報知される。このため、ボルト５のボルト締めを促すことができる結果、ボルト５の締め忘れ状態や不完全な締め付け状態での波形記録装置１の持ち運びが防止される。
【００２４】
なお、図６に示す波形記録装置１Ａのように、ボルト５をボルト締めすることによってオン状態（またはオフ状態）に切替制御されるプッシュスイッチＳＷを採用することもできる。この場合、この波形記録装置１Ａでは、ボルト５をボルト締め可能なねじ山が形成された筒状の装着部２２ａが記録装置本体２Ａの凸部２ａに配設されると共に装着部２２ａの底部側にプリント基板Ｐ１２が配設され、かつ、プリント基板Ｐ１２における装着部２２ａの対向部位に、プッシュスイッチＳＷが半田付けされている。したがって、図７（ａ）に示すように、プリンタ３Ａの挿通用孔３ｂを介して挿通されたボルト５が所定の固定位置まで確実にボルト締めされたときには、ボルト５の先端部５ａによってプッシュスイッチＳＷのスイッチ釦が押し付けられることによりオン状態（またはオフ状態）に制御される。一方、同図（ｂ）に示すように、ボルト５のボルト締めが不完全の場合や締め忘れられているときには、プッシュスイッチＳＷがオフ状態（またはオン状態）を維持する。したがって、判別部１３は、プッシュスイッチＳＷのオン／オフ信号を監視することにより、ボルト５が確実にボルト締めされているか否かを判別することができる。
【００２５】
また、本発明における測定装置用周辺機器は、本発明の実施の形態に示したプリンタ３に限定されず、測定装置本体と別体に構成された測定ユニット、アンプユニット、外部記録装置、ディスプレイおよびバッテリーユニットなどの各種周辺機器が含まれる。さらに、本発明の実施の形態では、本発明に係る測定装置として波形記録装置１，１Ａを例に挙げて説明したが、本発明に係る測定装置は、電圧計、電流計および電力計などの各種測定装置に適用できるのは勿論である。また、本発明の実施の形態では、記録装置本体２の表示部１１にメッセージを表示することにより、プリンタ３が確実に固定されていない旨をオペレータに対して報知させる例について説明したが、本発明における報知手段による報知は、例えば、記録装置本体２またはプリンタ３のいずれかに配設したＬＥＤの点滅、警告音の放音、および各種操作の受付け無効処理などで行うこともできる。また、本発明における検出手段、判別部および報知手段は、記録装置本体２およびプリンタ３のいずれに配置することもできる。
【００２６】
【発明の効果】
以上のように、請求項１記載の測定装置によれば、判別部によって測定装置用周辺機器の測定装置本体への未固定が判別されたときに報知手段がその旨を報知することにより、オペレータに対して確実なボルト締めを促すことができ、これにより、測定装置の持ち運び時などに測定装置本体と測定装置用周辺機器との分離落下に起因する測定装置本体または測定装置用周辺機器の破損を防止することができる。
【００２７】
また、測定装置本体側電極および周辺機器側電極で検出手段を構成したことにより、検出手段を極めて簡易に構成することができると共に、固定用ボルトを介して測定装置本体側電極および周辺機器側電極が電気的に接触しているか否かを検出するだけで測定装置用周辺機器の固定状態および未固定状態を容易に判別することができる。
【００２９】
また、請求項２記載の測定装置によれば、表示部が報知手段として機能を兼用することにより、実質的に測定装置のコスト上昇を抑えつつ報知手段を構成することができると共に、未固定の旨の報知を視覚に訴えることにより、オペレータに対して確実なボルト締めを促すことができる。
【００３０】
さらに、請求項３記載の測定装置によれば、測定装置用周辺機器としての印刷装置の固定状態を判別して固定用ボルトのボルト締めを促すことにより、高価な印刷装置の破損を確実に防止することができる。
【図面の簡単な説明】
【図１】本発明の実施の形態に係る波形記録装置１の記録装置本体２、プリンタ３およびカバー４を分離させた状態の外観斜視図である。
【図２】記録装置本体２の凸部２ａおよびプリンタ３の凹部３ａの近傍を拡大した断面図である。
【図３】記録装置本体２およびプリンタ３の電気的構成の一部を示す構成図である。
【図４】記録装置本体２にプリンタ３を固定した状態の外観斜視図である。
【図５】（ａ）はボルト５が所定の固定位置まで確実にボルト締めされた状態の凸部２ａおよび凹部３ａの近傍の拡大断面図、（ｂ）はボルト５のボルト締めが不完全な状態の凸部２ａおよび凹部３ａの近傍の拡大断面図である。
【図６】本発明の他の実施の形態に係る波形記録装置１Ａにおける記録装置本体２Ａの凸部２ａおよびプリンタ３Ａの凹部３ａの近傍を拡大した断面図である。
【図７】（ａ）はボルト５が所定の固定位置まで確実にボルト締めされた状態の凸部２ａおよび凹部３ａの近傍の拡大断面図、（ｂ）はボルト５のボルト締めが不完全な状態の凸部２ａおよび凹部３ａの近傍の拡大断面図である。
【図８】出願人が既に開発している波形記録装置３１の記録装置本体３２、プリンタ３３およびカバー３４を分離させた状態の外観斜視図である。
【図９】記録装置本体３２にカバー３４を固定した状態の外観斜視図である。
【図１０】記録装置本体３２にプリンタ３３を固定した状態の外観斜視図である。
【符号の説明】
１，１Ａ  波形記録装置
２，２Ａ  記録装置本体
３，３Ａ  プリンタ
５  ボルト
１１  表示部
１３  判別部
２２  装着部
２４  ランド
ＳＷ  プッシュスイッチ
【図１】
0004579365.tif 000002
【図２】
0004579365.tif 000003
【図３】
0004579365.tif 000004
【図４】
0004579365.tif 000005
【図５】
0004579365.tif 000006
【図６】
0004579365.tif 000007
【図７】
0004579365.tif 000008
【図８】
0004579365.tif 000009
【図９】
0004579365.tif 000010
【図１０】
0004579365.tif 000011